(57)【要約】      （修正有）【課題】ＱＲコード（登録商標）識別可能機能付きスーツケースを提供する。【解決手段】本考案に係るＱＲコード（登録商標）識別可能機能付きスーツケースでは、スーツケースＡに備えるパネル１０の少なくともの一箇所にコード印字基板が固定設置され、該コード印字基板の外表面にはクイック・レスポンス・コードラベル３０が設けられる。そのため、バーコードスキャン機能付きの電子機器がＱＲコード（登録商標）をスキャンすることでスーツケースＡに関する情報を読み取り、取得することができる。【選択図】図１
0003212050.tif 000002
【実用新案登録請求の範囲】
【請求項１】
１つ以上のパネル（１０）を備え、
前記パネル（１０）の少なくともの一箇所にコード印字基板（２０）が固定設置され、
前記コード印字基板（２０）は厚みを有するとともに設置面（２１）及び外表面（２２）を含み、
前記外表面（２２）にはクイック・レスポンス・コードラベル（３０）が設けられることを特徴とする、ＱＲコード（登録商標）識別可能機能付きスーツケース。
【請求項２】
前記クイック・レスポンス・コードラベル（３０）の表面は固定された透明保護表層（５０）で覆われ、
前記透明保護表層（５０）は透明アクリル、透明ガラス、透明シリコン又は透明プラスチックのいずれかの材料で作られたものであることを特徴とする、請求項１に記載のＱＲコード（登録商標）識別可能機能付きスーツケース。
【請求項３】
前記パネル（１０）の前記コード印字基板（２０）が固定設置されるところには前記コード印字基板（２０）を嵌め込むための内凹部（１１）が設けられていることを特徴とする、請求項２に記載のＱＲコード（登録商標）識別可能機能付きスーツケース。
【請求項４】
前記内凹部（１１）は間隔を開けて配置される複数のバックル位置決め穴（１２）を有し、
前記コード印字基板（２０）の設置面（２１）には、前記複数のバックル位置決め穴（１２）に対応して間隔を開けて設置される複数のバックル部（２１０）が設けられることを特徴とする、請求項３に記載のＱＲコード（登録商標）識別可能機能付きスーツケース。
【請求項５】
前記コード印字基板（２０）の設置面（２１）と前記内凹部（１１）とは、粘着パーツによって結合固定されていることを特徴とする、請求項３に記載のＱＲコード（登録商標）識別可能機能付きスーツケース。
【考案の詳細な説明】
【技術分野】
【０００１】
本考案はスーツケースに関し、特にＱＲコード（登録商標）識別可能機能付きのオリジナルなスーツケース構造に関する。
【背景技術】
【０００２】
現代社会では、生活レベルの向上に伴って人々が旅行やレジャー等を大きく重要視するようになっている。そのため、旅行やレジャー関連製品に対する需要も大きく増加している。その中でスーツケース（又は旅行カバン）は需要が増加している主要製品の１つである。
【０００３】
現在、多種多様なスーツケースの市販品が存在しているため、スーツケース売り場は、よく知られるように、通常、かなりのスペースがなければ種々のブランドのスーツケースを陳列することができない。売場のスペースが不足しているのが現状である。同じタイプのスーツケースであっても幾つかの規格があり、スペースが不足している売場の多くではその中の１つの規格しか陳列することができない。そのため製品情報が不足してしまう。そこで、売り手は各種スーツケースについての消費者の質問に対して詳細な製品情報を提供できるものの、各種スーツケースに関するブランドや型番等の正確な情報を効率よく提供できないという問題がある。その結果、売り手や消費者に貴重な時間が余計にかかってしまう。
【０００４】
一方、消費者はスーツケース製品を購入後に暫く使用してからその製品がよいと思いことがある。そのような場合に他の人からそのスーツケース製品に関する情報を聞かれても、購入して大分時間が経っているため通常は直ちに且つ正しく答えることができない。また、購入時に売り手からもらったカタログを無くしてしまうこともよくある。また、消費者はスーツケースを暫く使用した後で部品の破損等によりそのスーツケース製品のメーカーに関する情報を調べなければならないことがある。しかしながら、その際にスーツケース製品のブランドや型番等の情報を直ちに且つ正確に提供することができないことがあり、余計な時間がかかってしまう。
【０００５】
上述した従来のスーツケース構造に存在する問題点が改善された、より理想的で実用性のあるオリジナルな構造の開発を使用者は望んでおり、関連業者が努力して開発すべき目標及び方法である。これらの点に鑑み、本考案者は、関連製品の製造開発や設計に携わってきた長年の経験から、上述した目標について詳しく設計、慎重に評価した結果、ようやく実用性のある本考案にたどりついた。
【考案の概要】
【考案が解決しようとする課題】
【０００６】
本考案は、ＱＲコード（登録商標）識別可能機能付きスーツケースを提供することを目的とする。本考案が解決しようとする課題は、従来のスーツケースの応用において、使用者が製品関連情報を直ちに且つ正確に入手できないという問題点を改善し、より理想的で実用性のある新型のスーツケース構造を開発することにある。
【課題を解決するための手段】
【０００７】
本考案の課題を解決するための技術的特徴として、本考案に係るＱＲコード（登録商標）識別可能機能付きスーツケースは１つ以上のパネルを備え、前記パネルの少なくともの一箇所にコード印字基板が固定設置され、前記コード印字基板は厚みを有するとともに設置面及び外表面を含み、前記外表面にはクイック・レスポンス・コードラベルが設けられる。そのため、バーコードスキャン機能付きの電子機器でラベルをスキャンして、スーツケースに関する情報を読み取り、取得することができる。
【０００８】
このようなオリジナルな構造形態による本考案では、パネルにあるコード印字基板及び該コード印字基板の外表面にあるクイック・レスポンス・コードラベルなどの技術的特徴を利用して、使用者が電子機器のバーコードスキャン機能でクイック・レスポンス・コードラベルをスキャンして、直ちにスーツケースの関連情報を取得できる。そのため、従来技術よりも使いやすくなるという実用性及び進歩性がある。
【０００９】
本考案は、該クイック・レスポンス・コードラベルの表面は固定された透明保護表層で覆われることをもう一つの技術的特徴とする。これにより、クイック・レスポンス・コードラベルを保護してその使用寿命を延ばせるという実用性、進歩性もある。
【図面の簡単な説明】
【００１０】
【図１】本考案の好適な実施例のスーツケースの組立立体図。
【図２】本考案の好適な実施例の構成部品の分解立体図。
【図３】本考案の好適な実施例の構成部品の分解断面図。
【図４】本考案の好適な実施例の構成部品の組立断面図。
【図５】本考案のクイック・レスポンス・コードラベルを電子機器がスキャンして商品案内ページ設定に自動的に連結される実施例イメージ。
【考案を実施するための形態】
【００１１】
図１〜図４に本考案のＱＲコード（登録商標）識別可能機能付きスーツケースの好適な実施例を示すが、これらの実施例は説明を目的したものに過ぎず、本考案はこれらの実施形態に限定されない。
【００１２】
スーツケースＡは１つ以上のパネル１０を備える。パネル１０の少なくともの一箇所にはコード印字基板２０が固定設置される。コード印字基板２０は厚みを有するとともに設置面２１及び外表面２２を含む。外表面２２にはクイック・レスポンス・コードラベル（Ｑｕｉｃｋ  Ｒｅｓｐｏｎｓｅ  Ｃｏｄｅ、略してＱＲコード（登録商標）という）ラベル３０が設けられている。バーコードスキャン機能付きの電子機器４０（例えばスマートフォン、図５参照）がスーツケースＡに関する情報をスキャンして読み取り、取得するのに供される。
【００１３】
クイック・レスポンス・コードラベル３０の表面は固定された透明保護表層５０で覆われる。透明保護表層５０は透明アクリル、透明ガラス、透明シリコン又は透明プラスチックのいずれかの材料で作られたものである。本実施例では、透明保護表層５０を設置することでクイック・レスポンス・コードラベル３０を保護して使用寿命を延ばす。これには、スキャンして識別する機能にマイナスな影響を及ぼさない効果がある。また、視覚的に言えば、透明保護表層５０はクイック・レスポンス・コードラベル３０部品によってより高い価値が付けられ、スーツケースＡ全体のマテリアルデザインに対応される。
【００１４】
図２〜図４に示すように、本実施例においては、パネル１０のコード印字基板２０が固定設置されるところにはコード印字基板２０を嵌め込むための内凹部１１が設けられる。
【００１５】
図２〜図４に示すように、本実施例においては、内凹部１１は間隔を開けて配置される複数のバックル位置決め穴１２を有する。コード印字基板２０の設置面２１には、複数のバックル位置決め穴１２に対応して間隔を開けて設置される複数のバックル部２１０が設けられる。
【００１６】
コード印字基板２０の設置面２１と該内凹部１１とは粘着パーツによって結合固定される（注：本実施例の図示省略）。
【００１７】
図５に示すように、本実施例では、クイック・レスポンス・コードラベル３０の情報は、電子機器４０がスキャンして識別、取得して、スーツケースＡ製品に該当する製造元又は販売元の何れかの１つが運営する商品案内ページ設定６０に自動的にリンクされるのに供される。本実施例でいう商品案内ページ設定６０の内容は、具体的にはスーツケースＡ製品のブランド、型番、製造元、販売拠点、関連商品（例えば、ほかの規格や部品等）及び保守修理などの情報を含む。
【００１８】
上述した構造、組立形態や技術的特徴により、本考案で提示したスーツケースＡにあっては、その構造上、コード印字基板２０及びクイック・レスポンス・コードラベル３０の設置箇所は制限されず、パネル１０のどの部分に設置してもよい。図１の実施例では、スーツケースの一般的なブランド・商標マークの位置に設けられており、クイック・レスポンス・コードラベル３０はバーコードスキャン機能付きの電子機器４０（例えばスマートフォン、図５参照）が該スーツケースＡに関する情報をスキャンして読み取り、取得するのに供される。スーツケースＡの使用者、購入予定者又は販売者が直ちにその製品の関連情報を入手できるため、実質的機能が一般的ブランド・商標よりも効果が大きく、スーツケースＡ製品の身分証明とも見なされる。このようなオリジナルな技術的特徴を有しているため、本考案はスーツケースの販売者や消費者・使用者にとって便利且つ役立つものであると言える。
【００１９】
本考案で提示した「ＱＲコード（登録商標）識別可能機能付きスーツケース」は、パネルにコード印字基板が固定設置され、コード印字基板の外表面にクイック・レスポンス・コードラベルが設置されるというオリジナルな構造形態と技術的特徴を有する。そのため、スーツケース使用者が電子機器のバーコードスキャン機能でクイック・レスポンス・コードラベルをスキャンすると、直ちにスーツケースに関する情報、例えば、ブランド、型番、製造元、販売拠点、関連商品及び保守修理等の情報を入手できる。このように、本考案には、背景技術で述べた従来の構造に対して、スーツケース製品情報を素早く入手でき、より使い易いという実用性、進歩性がある。
【符号の説明】
【００２０】
Ａ  スーツケース
１０  パネル
１１  内凹部
１２  バックル位置決め穴
２０  コード印字基板
２１  設置面
２１０  バックル部
２２  外表面
３０  クイック・レスポンス・コードラベル
４０  電子機器
５０  透明保護表層
６０  商品案内ページ設定
【図１】
0003212050.tif 000003
【図２】
0003212050.tif 000004
【図３】
0003212050.tif 000005
【図４】
0003212050.tif 000006
【図５】
0003212050.tif 000007